(57)【要約】      （修正有）【課題】蓋ユニットに、ヒンジ機構を設けた場合でも、ヒンジ機構が外観に露出しない構造とし、カメラのカラーバリエーションに対応して、ヒンジ機構に個別の彩色を施す必要を無くし、コストを低減する。【解決手段】蓋ユニットは、回転軸と、回転軸に対して回動可能に支持された蓋部材と、外面部材側挟持部を有する外面部材と、閉状態としたときの蓋部材が少なくとも一部を覆う、内部部材側挟持部を有する内部部材とを備え、外面部材側挟持部と内部部材側挟持部は、互いに回転軸の軸周りを挟み込んで支持する。【選択図】図４
2013258495.tif 000002
【特許請求の範囲】
【請求項１】
回転軸と、
前記回転軸に対して回動可能に支持された蓋部材と、
外面部材側挟持部を有する外面部材と、
閉状態としたときの前記蓋部材が少なくとも一部を覆う、内部部材側挟持部を有する内部部材と
を備え、
前記外面部材側挟持部と前記内部部材側挟持部は、互いに前記回転軸の軸周りを挟み込んで支持する蓋ユニット。
【請求項２】
前記内部部材側挟持部は、前記外面部材側挟持部に覆われて外観に露出しない請求項１に記載の蓋ユニット。
【請求項３】
前記内部部材は、前記蓋部材を閉状態とした場合に、外観に露出しない請求項１または２に記載の蓋ユニット。
【請求項４】
前記外面部材側挟持部と前記内部部材側挟持部の組を複数有する請求項１から３のいずれか１項に記載の蓋ユニット。
【請求項５】
前記外面部材は、前記内部部材を外観側とは反対の裏面側から受ける受け部を有する請求項１から４いずれか１項に記載の蓋ユニット。
【請求項６】
前記外面部材は、前記外面部材側挟持部に対応する位置に前記受け部を有する請求項５に記載の蓋ユニット。
【請求項７】
前記内部部材は、前記回転軸の軸方向を含む平面に沿って前記外面部材に組み付けられた請求項１から６のいずれか１項に記載の蓋ユニット。
【請求項８】
前記外面部材側挟持部と前記内部部材側挟持部は、前記回転軸の軸方向における前記蓋部材の幅よりも内側で前記回転軸を挟み込む請求項１から７のいずれか１項に記載の蓋ユニット。
【請求項９】
前記蓋部材は、開状態とした場合に前記外面部材の端部から逃げる逃げ部を有する請求項１から８のいずれか１項に記載の蓋ユニット。
【請求項１０】
請求項１から９のいずれか１項に記載の蓋ユニットと、
前記蓋ユニットの開状態において外部からのケーブルを受容するコネクタと
を備える電子機器。
【発明の詳細な説明】
【技術分野】
【０００１】
本発明は、蓋ユニットおよび電子機器に関する。
【背景技術】
【０００２】
複数の外部入出力端子を覆うカバー部材が知られている（例えば、特許文献１参照）。
［先行技術文献］
［特許文献］
［特許文献１］特開２０１１−２０９５５８号公報
【発明の概要】
【発明が解決しようとする課題】
【０００３】
カバー部材等による蓋ユニットには、良好な開閉を実現するヒンジ機構を設けたいが、ヒンジ機構が外観に露出する開閉構造を採用すると、製品としてのカラーバリエーションに対応するために、ヒンジ機構に対しても個別の彩色を施す必要があった。製品コストの観点からは、外観に露出する彩色部材は、できる限り少ない方が好ましい。
【課題を解決するための手段】
【０００４】
本発明の第１の態様における蓋ユニットは、回転軸と、回転軸に対して回動可能に支持された蓋部材と、外面部材側挟持部を有する外面部材と、閉状態としたときの蓋部材が少なくとも一部を覆う、内部部材側挟持部を有する内部部材とを備え、外面部材側挟持部と内部部材側挟持部は、互いに回転軸の軸周りを挟み込んで支持する。
【０００５】
本発明の第２の態様における電子機器は、上記の蓋ユニットと、蓋ユニットの開状態において外部からのケーブルを受容するコネクタとを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係るカメラの側面図である。
【図２】図１のＡ−Ａ断面図である。
【図３】Ａ−Ａ断面において、カバー蓋が開いた状態を示す図である。
【図４】図１のＢ−Ｂ断面図である。
【図５】外層部材の組み込みを説明する図である。
【図６】ＩＦカバーをカメラ内部側から見た斜視図である。
【図７】カバー蓋と外層部材の関係を説明する模式図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るカメラ１００の側面図である。カメラ１００は、本実施形態に係る蓋ユニットを有する電子機器の一例である。図１は、交換式レンズが取り外された状態の、ユーザが把持するグリップ側とは反対側の側面を示す。
【００１０】
カメラ１００は、各種のケーブルを接続するコネクタを覆う蓋部材として、カバー蓋１０を有する。コネクタとしては、ヘッドフォンジャック、マイクジャック、ＵＳＢコネクタ、ＬＡＮコネクタ、ＨＤＭＩコネクタなどの一つ以上が候補となり得る。
【００１１】
カメラ１００は、外観を形成する外面部材としての外装部材を有する。外装部材は、分割線９０に沿って前後に分割される前面外装材２０と背面外装材３０を含む。前面外装材２０は、前面側から背面側に向かって、背面外装材３０に組み付けられる。カメラ１００は、前面外装材２０および背面外装材３０を含む外装部材等に包囲されることにより外観を形成する。なお、本実施形態においては、被写体側である紙面左側を前面側とし、その反対側である紙面右側を背面側とする。
【００１２】
カバー蓋１０は、ユーザの操作によって紙面手前側に回転し、閉状態から、内部のコネクタが露出する開状態へ移行する。ユーザが逆の操作を行えば開状態から閉状態へ移行する。閉状態においては、カバー蓋１０の一部が内部構造体に嵌入され、カバー蓋１０は、カメラ１００に固定される。これにより、カバー蓋１０は、閉状態において、外部の水滴、塵埃等が内部のコネクタへ入り込むことを防ぐ。また、図示するように、カバー蓋１０も、外装部材の類として外観を形成する。
【００１３】
図２は、図１のＡ−Ａ断面図である。図２は、カバー蓋１０の閉状態を示す。カバー蓋１０は、軸穴１１を有し、軸穴１１には、回転軸としてのヒンジ軸４０が挿通されている。カバー蓋１０は、ヒンジ軸４０周りに矢印方向へ回転する。カバー蓋１０の外観面には、ヒンジ部側を沈下させた段差部１２が設けられており、段差部１２は、開状態において前面外装材２０と当接することにより、所定の開き角（回転可能角）を実現する。
【００１４】
カメラ内部方向である紙面下側には、内部部材の一つである底板部材としてのＩＦカバー５０が配設されている。ＩＦカバー５０は、コネクタ開口部５１を有し、各種のコネクタ５６は、それぞれが対応するケーブルを受容できるように、コネクタ開口部５１に対して、その端子部を露出させている。ＩＦカバー５０は、カバー蓋１０の閉状態において、カバー蓋１０に少なくとも一部が覆われ、前面外装材２０にも他の部分が覆われることにより、全体として外観に現れることがない。また、カバー蓋１０には、カメラ内部方向へ突出するリブ１３を有し、リブ１３の端面は、閉状態において、ＩＦカバー５０の表面と当接する。したがって、リブ１３は、閉状態において、カバー蓋１０と前面外装材２０の隙間から進入し得る水滴、塵埃等がコネクタ５６側へ進入することを防ぐ。なお、図示する断面図においては、本実施形態に係る蓋ユニットを構成する特徴的な部材に対してハッチングを施している。
【００１５】
図３は、Ａ−Ａ断面において、カバー蓋１０が開いた状態（開状態）を示す図である。カバー蓋１０は、上述のように、段差部１２が前面外装材２０と当接するまで開く。換言すれば、段差部１２は、開状態とした場合に前面外装材２０の端部から逃げる逃げ部として機能し、カバー蓋１０をどれだけ回転させたいかによりその段差が調整される。開き角を少なく設定したい場合には、ヒンジ部側を隆起させる段差を設けても良い。
【００１６】
カバー蓋１０が開かれた状態では、ＩＦカバー５０とコネクタ５６が外部に露出されるので、ユーザは、各種のケーブル５７を対応するコネクタ５６へ装着できる。
【００１７】
図４は、図１のＢ−Ｂ断面図である。本図は、カバー蓋１０を回転可能に軸支するヒンジ軸４０が、蓋ユニットにおいてどのように支持されているかを示す図である。以下に具体的に説明する。
【００１８】
前面外装材２０の一部には、円筒面からなる外装材側挟持部２２が設けられている。同様に、ＩＦカバー５０の一部には、円筒面からなる底板材側挟持部５２が設けられている。それぞれの円筒面は、ヒンジ軸４０の径に合せて曲率が定められている。そして、外装材側挟持部２２と底板材側挟持部５２は、互いにヒンジ軸４０の軸周りを挟み込んで支持している。
【００１９】
より具体的には、前面外装材２０は、ＩＦカバー５０を外観側とは反対の面側から受けるリブ状の受け部２３を有する。受け部２３は、外装材側挟持部２２が設けられた位置に対応して設けられる。すなわち、外装材側挟持部２２と受け部２３は、図４で示すように、少なくとも一つの断面において同時に現れるように前面外装材２０に設けられる。したがって、外装材側挟持部２２は、前面外装材２０の先端部２４と受け部２３とが断面において形成する略コの字形状（図においては開口が紙面右側となる）の内側に位置することになる。なお、後述するように、複数の受け部２３が存在する場合には、受け部２３と外装材側挟持部２２が離間して設けられても良い。
【００２０】
ＩＦカバー５０の底板材側挟持部５２近傍部分は、このコの字形状に入り込む。特に、ＩＦカバー５０の先端部５３は、受け部２３と当接するように配置される。すなわち、外装材側挟持部２２が外観側から内部側へ、底板材側挟持部５２が内部側から外観側へ、互いにヒンジ軸４０を押し合うように、ＩＦカバー５０の底板材側挟持部５２近傍部分が、前面外装材２０の略コの字形状内側へ嵌入される。
【００２１】
このような構造を採用することにより、外装材側挟持部２２に覆われた底板材側挟持部５２は、外観に露出しない。換言すれば、ヒンジ軸４０を挟持する部分においてＩＦカバー５０が外観に露出しないように、外装材側挟持部２２と底板材側挟持部５２とがヒンジ軸４０を軸方向に挟み込む構造を採用している。図４と共に図１、図２を参照してもわかるように、ＩＦカバー５０は、カバー蓋１０の閉状態において、その全体におけるいずれの部分も外観に露出することがない。すなわち、ＩＦカバー５０は、軸支部分を含めて大部分はカバー蓋１０に覆われており、かつ、ヒンジ軸４０の支持部においても前面外装材２０で覆われている。したがって、ユーザは、カバー蓋１０が閉じられていれば、ＩＦカバー５０を視認することはない。
【００２２】
従来の蓋ユニットにおけるヒンジ構造においては、ＩＦカバー５０に設けられた嵌合穴あるいは嵌合溝にヒンジ軸４０が圧入されて固定支持されていた。このように構成した場合、ＩＦカバー５０のヒンジ固定部近傍が外観に露出することになる。すなわち、ＩＦカバー５０を、外装部材の一構成部品として扱う必要があった。近時の電子機器においては、カラーバリエーションが豊富に用意される傾向にあり、ＩＦカバー５０に対しても増大したカラーバリエーションに応じた塗り分けが要求されていた。これにより、製造コストの増大を招いていた。
【００２３】
ＩＦカバー５０がヒンジ軸４０を単独で固定しつつも外観に露出させない方策としては、前面外装材２０等の他の外装部材でＩＦカバー５０を覆うこともあり得るが、すると、ヒンジ軸４０は、外観表面から内部側へ深く潜り込んだ位置に配置されることになる。ヒンジ軸４０が内部側へ深く潜り込むと、軸支されるカバー蓋１０は、掩蔽する外装部材の厚みにより開き角を大きくできない。所定の開き角を確保するには、ヒンジ部側に沈下させる段差部１２の段差を大きくしなければならない。すると、デザイン上の自由度が奪われ、外観を損ねる場合があった。
【００２４】
本実施形態のように、ＩＦカバー５０が外観に露出しないように、外装材側挟持部２２と底板材側挟持部５２とがヒンジ軸４０を軸方向に挟み込む構造を採用する蓋ユニットにおいては、ＩＦカバー５０を外観部品として扱わなくても良い。つまり、カラーバリエーションが増えたとしても、電子機器の製造コストを抑制することができる。しかも、ヒンジ軸４０を外観面に比較的近い位置に配設できるので、段差部１２の段差を大きくすることなく、所定の開き角を確保できる。したがって、外観に対する段差部１２の影響も最小限に抑制することができる。
【００２５】
本実施形態においては、前面外装材２０は、外装材側挟持部２２が設けられた位置に対応してリブ状の受け部２３を有する。受け部２３は、ＩＦカバー５０の外観側とは反対の面と当接する。このような構造を採用することにより、カバー蓋１０がユーザの操作によって所定角以上にこじ開けられようとしても、その力を受け部２３が受けることができる。
【００２６】
カバー蓋１０の無理なこじ開け力は、図３からも理解されるように、ＩＦカバー５０をカメラ１００の内部側に押し込む作用をもたらす。受け部２３が存在しなければ、外装材側挟持部２２と底板材側挟持部５２の間に隙間を生じることになり、ヒンジ軸４０の抜脱を招くことになる。しかしながら、受け部２３が設けられた本実施形態においては、内部側への押し込み力を受け部２３が受けることができるので、外装材側挟持部２２と底板材側挟持部５２の相対的な位置ずれを抑制することができ、ひいてはヒンジ軸４０の抜脱を防ぐことができる。また、形成された略コの字形状は、先端部５３の当接との作用により、外部から水滴、塵埃等が内部に侵入することを抑制する効果をもたらす。
【００２７】
前面外装材２０に形成される略コの字形状の内側は、図４に示すように階段状の形状であっても良いし、斜面状、曲面形状であっても良い。また、外装材側挟持部２２および底板材側挟持部５２は、互いにヒンジ軸４０を挟持して固定できる形状であれば、円筒面に限らない。また、ヒンジ軸４０との接触面に粗面加工を施し、グリップ力を向上させても良い。
【００２８】
図５は、前面外装材２０の組み込みを説明する図である。上述のとおり、ＩＦカバー５０の底板材側挟持部５２近傍部分は、前面外装材２０に形成される略コの字形状の内側へ、嵌入される。すなわち、ＩＦカバー５０は、ヒンジ軸４０の軸方向を含む平面に沿って、スライドされて前面外装材２０に組み付けられる。本実施形態に係るカメラ１００においては、前面外装材２０は、内部の構造体が組み立てられた後に、全体を包み込むように装着される。したがって、まず、軸穴１１にヒンジ軸４０を挿通させた上で、ヒンジ軸４０の両端部をそれぞれに対応する底板材側挟持部５２に載置する。このとき、ＩＦカバー５０は、すでに内部の構造体に固定されている。そして、前面外装材２０の受け部２３をＩＦカバー５０の先端部５３に当接させつつ、外装材側挟持部２２の円筒面がヒンジ軸４０を押圧する位置まで、矢印方向へ押し込む。その後、前面外装材２０を、内部の構造体にビス止めして固定する。
【００２９】
図６は、ＩＦカバー５０をカメラ内部側から見た斜視図である。本実施形態においては、上述のように、ヒンジ軸４０は、両軸端で外装材側挟持部２２と底板材側挟持部５２に挟み込まれて支持されるが、それぞれに対応する受け部２３の一部は、離間した位置に設けられても良い。あるいは、対応する挟持部がなくても良い。例えば、図においては、受け部２３ｂは、外装材側挟持部２２と対向して設けられているが、受け部２３ａは、離間した位置に設けられている。また、受け部２３ｃは、対応する外装材側挟持部２２が存在しない。このように、対応する箇所のみでなく、様々な位置に受け部２３を設けることにより、ヒンジ軸４０の抜脱をより効果的に防ぐことができる。
【００３０】
図７は、カバー蓋１０と外層部材である前面外装材２０との関係を説明する模式図である。図７（ａ）は、これまで説明した本実施形態におけるカバー蓋１０と前面外装材２０の関係を表す。図７（ａ）の関係においては、外装材側挟持部２２と底板材側挟持部５２とを組みとするヒンジ軸４０の支持部がヒンジ軸４０の両端部にそれぞれ設けられているので、安定的にヒンジ軸４０を支持できる。しかも、ヒンジ軸４０と平行な方向におけるカバー蓋１０の幅よりも、ヒンジ軸４０を挿通する軸穴１１の軸方向の長さを短くして、両端の支持部を内側にせり出させている。つまり、外装材側挟持部２２と底板材側挟持部５２は、ヒンジ軸４０の軸方向におけるカバー蓋１０の幅よりも内側でヒンジ軸４０を挟持する。したがって、ユーザの開閉操作時において、軸方向と直交する方向に対するヒンジ軸４０のたわみ量を少なくできる。すなわち、ヒンジ軸４０の抜脱を抑制することができる。
【００３１】
図７（ｂ）は、支持部を、ヒンジ軸の両端に加えて、中央部にも設けた様子を表す。支持部を増やすことにより、ヒンジ軸４０のたわみをより抑制することができる。図７（ｃ）は、支持部を、中央部１カ所に設けた様子を表す。このように構成することにより、ヒンジ軸４０の長さを短くできると共に、支持部の数を減らした分、構造を簡略化できる。図７（ｄ）は、図７（ｂ）に対して、カバー蓋１０を、第１カバー蓋１０ａと第２カバー蓋１０ｂに分割した様子を表す。すなわち、一つのヒンジ軸４０に対して、二つのカバー蓋１０が取り付けられた様子を表す。このように構成することにより、開閉できる蓋の数を増加させつつも部品点数の増加を抑制できると共に、ユーザの操作時において使用対象でないコネクタを露出させなくて済む。もちろん、支持部を更に増やしても良いし、カバー蓋１０をさらに分割しても良い。
【００３２】
なお、カバー蓋１０、前面外装材２０、ＩＦカバー５０は、それぞれ様々な素材を採用し得る。成形性等を重視する場合には、モールド部材を採用することができ、塵埃等に対する密閉性などを重視する場合には、エラストマー素材を採用することもできる。デザイン上の理由等により、ＳＵＳなどの金属素材を採用することもできる。
【００３３】
上述の実施形態においては、図５に示すように、前面外装材２０をスライドさせて組み付けたが、受け部２３を有さない場合においては、底板材側挟持部５２と対向する方向からヒンジ軸４０に向かって組み付ける構成を採用しても良い。このような構成を採用することにより、コネクタを覆う蓋部材に限らず、開閉構造を必要とする様々な箇所に本実施形態に係る蓋ユニットを適用し得る。したがって、本実施形態におけるカメラ１００に限らず、さまざまな電子機器にも適用し得ることは当然である。
【００３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００３５】
１００  カメラ、１０  カバー蓋、１１  軸穴、１２  段差部、１３  リブ、２０  前面外装材、２２  外装材側挟持部、２３  受け部、２４  先端部、３０  背面外装材、４０  ヒンジ軸、５０  ＩＦカバー、５１  コネクタ開口部、５２  底板材側挟持部、５３  先端部、５６  コネクタ、５７  ケーブル、９０  分割線
【図１】
2013258495.tif 000003
【図２】
2013258495.tif 000004
【図３】
2013258495.tif 000005
【図４】
2013258495.tif 000006
【図５】
2013258495.tif 000007
【図６】
2013258495.tif 000008
【図７】
2013258495.tif 000009